(57)【特許請求の範囲】
【請求項１】
外部より供給される水を貯留する凹状の貯留部を有する貯水槽と、
この貯水槽内に貯留された前記水を外部へ排水する排水手段と、
前記貯水槽内に立設し、貝殻を収納する通水性を有する貝殻収納部と、
この貝殻収納部の頂部は、前記貝殻を入れるために開口した貝殻供給開口部を有し、
前記貝殻供給開口部を除いて前記凹状の貯留部の開口部を覆う覆い部材と、
前記貝殻供給開口部を開閉する開閉蓋と、
前記貯留部内の水面が一定以上を超えないように貯水槽に設けられたオーバーフロー管と
を備え、前記貝殻収納部は前記貯水槽を仕切り、仕切られた前記貯水槽の一方側の室に外部より供給される水を案内する水供給通路が、前記貝殻収納部に仕切られた前記貯水槽の他方側の室に前記貯水槽内に貯留された前記水を外部へ案内する排水通路が、それぞれ連通し、前記貝殻収納部は、ポーラスコンクリートで形成し、
前記貯留部内の水面より高い位置まで貝殻が前記貝殻収納部内に収納されていることを特徴とする浄化機能付き貯水槽。
【請求項２】
貯水槽の覆い部材は地下に位置し、開閉蓋が地表に露出している
ことを特徴とする請求項１記載の浄化機能付き貯水槽。
【発明の詳細な説明】
【技術分野】
【０００１】
本発明は、浄化機能付き貯水槽に係り、特に、浄化機能を有する貝殻を簡易に補充することができる浄化機能付き貯水槽に関する。
【背景技術】
【０００２】
多孔質の貝殻に浄化作用があることに着目したものとして、例えば、透水性ブロックがある（例えば、特許文献１参照）。
この透水性ブロックは、多孔質の貝殻の外周部を透水性コンクリートで覆ったもので、水が透水性ブロックの透水性コンクリート、多孔質の貝殻を通過することに伴って、該多孔質内の微生物により、水が浄化されるようになっている。
【特許文献１】特開２００２−７９２８６号公報
【発明の開示】
【発明が解決しようとする課題】
【０００３】
しかしながら、上述した透水性ブロックを貯水槽に応用した場合、長期の使用により透水性ブロック内の貝殻が水に含まれる酸により、逐次溶け出し浄化機能が低下するという問題点が生じた。
本発明は、上述した問題点に簡易に対応することができる浄化機能付き貯水槽を提供するものである。
【課題を解決するための手段】
【０００４】
上記目的を達成するために、請求項１記載の浄化機能付き貯水槽は、外部より供給される水を貯留する凹状の貯留部を有する貯水槽と、この貯水槽内に貯留された前記水を外部へ排水する排水手段と、前記貯水槽内に立設し、貝殻を収納する通水性を有する貝殻収納部と、この貝殻収納部の頂部は、前記貝殻を入れるために開口した貝殻供給開口部を有し、前記貝殻供給開口部を除いて前記凹状の貯留部の開口部を覆う覆い部材と、前記貝殻供給開口部を開閉する開閉蓋と、前記貯留部内の水面が一定以上を超えないように貯水槽に設けられたオーバーフロー管とを備え、前記貝殻収納部は前記貯水槽を仕切り、仕切られた前記貯水槽の一方側の室に外部より供給される水を案内する水供給通路が、前記貝殻収納部に仕切られた前記貯水槽の他方側の室に前記貯水槽内に貯留された前記水を外部へ案内する排水通路が、それぞれ連通し、前記貝殻収納部は、ポーラスコンクリートで形成し、前記貯留部内の水面より高い位置まで貝殻が前記貝殻収納部内に収納されているものである。
【０００７】
また、請求項２記載の浄化機能付き貯水槽は、請求項１記載の浄化機能付き貯水槽において、貯水槽の覆い部材は地下に位置し、開閉蓋が地表に露出しているものである。
【発明の効果】
【０００８】
請求項１記載の浄化機能付き貯水槽によれば、貯留部内に貯留された水は、貝殻収納部に収納された貝殻により浄化されると共に、貯水槽内の水を日光等から遮蔽する覆い部材の開閉とは関係なく、長期の使用により消失する貝殻を開閉蓋を開けて簡易に補充することができる。
【０００９】
また、貯留部内に貯留された水が排水通路より排水される際、貝殻収納部に収納された貝殻を通過するため、水を効率良く浄化することができ、しかも、貝殻収納部は、貯水槽を仕切って構造部材の一部を形成するため、浄化機能付き貯水槽の強度を向上させることができる。
【００１０】
また、請求項１記載の浄化機能付き貯水槽によれば、貝殻により水が浄化される際、貝殻が逐次減少しても貝殻が貯留部内の水面より高い位置まで収納されているため、貯留部内の水面より高い位置の貝殻を重力により貯留部内の水面下に自動的に供給することができる。
【００１１】
また、請求項２記載の浄化機能付き貯水槽によれば、請求項１記載の発明の効果に加え、貯水槽が地下に位置していても、開閉蓋が地表に露出しているため、地面を掘り起こすことなく開閉蓋を開けて貝殻を簡易に補充することができる。
【実施例】
【００１２】
本発明の一実施例の浄化機能付き貯水槽を図面を参照して説明する。
図１乃至図４において、Ａは浄化機能付き貯水槽で、浄化機能付き貯水槽Ａは、外部より供給される水（例えば、雨水）を貯留する凹状の貯留部１ｂを有する。外部よりの水は、水供給通路１ａにより貯留部１ｂに案内される。貯留部１ｂ内に貯留された水は、排水手段により外部へ案内（排水）されるようになっている。排水手段は、例えば、排水通路（例えば、排出管）１ｄの開口端を貯留部１ｂ内に貯留された水中に位置させ、排水用ポンプＰにより強制的に外部へ排水するようになっている。
【００１３】
貯水槽１は、例えば、不透水牲のコンクリートで形成された凹状の貯留部１ｂと、後述する貝殻供給開口部２１（図３及び図４参照）を除いて凹状の貯留部１ｂの開口部を覆う覆い部材４（覆い部材４は、例えば、不透水牲のコンクリートで形成される。）とで概略的に構成される。なお、１ｅは、貯留部１ｂ内の水面が一定以上を超えないように貯水槽１に設けられたオーバーフロー管である。また、１ｆ、１ｇは、通水性の壁（例えば透水牲のコンクリートで形成されている。）である。
【００１４】
貯水槽１内には、貝殻Ｓを収納する通水性を有する貝殻収納部２が立設している。
貝殻Ｓは、例えば、ホタテであり、ホタテを図４に示すように、貝殻収納部２にそのまま（また、砕いたホタテ）投入しても良いし、 また、図５に示すように、図示しない結着剤で貝殻Ｓ同士を結合したものを投入しても良いし、また、図６に示すように、金網、ネット等内に貝殻Ｓを入れたものを投入しても良い。
【００１５】
貝殻収納部２は、通水性を有するために、貝殻収納部２自体を通水性とするように、例えば、貝殻収納部２をポーラスコンクリートで形成しても良いし、また、貝殻収納部２の一部に通水性を有するように、例えば、貝殻収納部２を不透水牲のコンクリートで形成し、貝殻収納部２内に後述する貯水槽１の一方側の室Ｘ内の水を受け入れる開口した入口部（図示せず）と、貝殻Ｓを通過してきた水を貝殻収納部２の外（後述する貯水槽１の他方側の室Ｙ）に排水する開口した出口部（図示せず）とを設けるようにしても良い。
そして、貝殻収納部２は、図２に示すように、貯水槽１を仕切り、仕切られた貯水槽１の一方側の室Ｘに外部より供給される水を案内する水供給通路１ａが、貝殻収納部２に仕切られた貯水槽１の他方側の室Ｙに貯水槽１内に貯留された水を外部へ案内する排水通路１ｄが、それぞれ連通（水が流通できる）するようになっている。
その結果、貯留部１ｂ内に貯留された水が排水通路１ｄより排水される際、該水は貝殻収納部２に収納された貝殻Ｓを通過するため、効率良く浄化され、しかも、貝殻収納部Ｓは、貯水槽１を仕切って構造部材の一部を形成するため、浄化機能付き貯水槽Ａの強度をも向上させることができる。
なお、室Ｘ、室Ｙには、例えば、特許第２９０１９５９号の積層構造物Ｓ’を敷き詰め、積層構造物Ｓ’の間隙に水を貯留するようにしている。
【００１６】
また、貝殻収納部２の頂部は、貝殻Ｓを入れるために開口した貝殻供給開口部２１を有している。３は、貝殻供給開口部２１を開閉する開閉蓋で、４は、貝殻供給開口部２１を除いて凹状の貯留部１ｂの開口部を覆う覆い部材である。
貯水槽１内の水は、開閉蓋３、覆い部材４により、日光等から遮蔽され、藻の発生、ゴミの侵入等を防ぐことができ、また、貯留部１内に貯留された水は、貝殻収納部２に収納された貝殻Ｓに接触することにより、多孔質の貝殻Ｓに住み着いた微生物により浄化される。
【００１７】
なお、貯留された水が雨水の場合、酸性化した雨水は貝殻Ｓのカルシウム等により中和され、排水通路１ｄより排水される。
特に、長期の使用により貝殻Ｓは溶け出し逐次消失するが、覆い部材４の開閉とは関係なく、開閉蓋３を開けて貝殻供給開口部２１より貝殻Ｓを簡易に補充することができる。    また、図１に示すように、貯水槽１が地下に位置する場合、開閉蓋３が地表に露出するようにしている。これは、地面を掘り起こすことなく、開閉蓋３を開けて貝殻Ｓを簡易に補充するためである。
更に、貝殻収納部２内に貝殻Ｓを入れる際、図３に示すように、貝殻収納部２の内壁に目印Ｌを付すと、便利である。目印Ｌとしては、例えば、貯留部１ｂ内の水面と同一高さの位置（例えば、目印Ｌを水面と同一高さの位置とすれば、目印Ｌを見ることにより、貝殻Ｓの補充の有無を目視できる。）であったり、貯留部１ｂ内の水面よりやや高い位置（例えば、目印Ｌを貝殻Ｓを収納する最上位の位置とすれば、目印Ｌを見ることにより、貝殻Ｓが減少した量を目視できる。）であったり、貯留部１ｂ内の水面よりやや低い位置（例えば、目印Ｌを貝殻Ｓを補充する必要がある位置とすれば、目印Ｌを見ることにより、貝殻Ｓの補充の有無を目視できる。）とすることができる。
また、外部より貝殻収納部２内の貝殻Ｓの量を確認できるように開閉蓋３を透明な材質で形成したり、更に、図４に示すように、センサー、例えば、投光センサー２５と受光センサー２６を用いて自動的に貝殻Ｓの量を検知するようにしても良い。
【００１８】
また、長期の使用により貝殻Ｓが溶け出すことに伴い、貝殻収納部２内に収納される貝殻Ｓを図３に示すように、貯留部１ｂ内の水面より高い位置まで収納するようにしても良い。かかる場合、貯留部１ｂ内の水面より高い位置の貝殻Ｓを重力により貯留部１内の水面下に自動的に供給することができる。
【００１９】
また、上述した実施例においては、貯水槽１を横断する部分の全体に亘って貝殻収納部２を設けたが（図１及び図２参照）、本願発明の浄化機能付き貯水槽Ａにあっては、これに限らず、図７に示すように、部分的に設けても良く、また、図８に示すように、水供給通路１ａに近い側に設けても良く、更に、図９に示すように、排水通路１ｄに近い側に設けても良い。
【００２０】
また、上述した実施例においては、浄化機能付き貯水槽Ａを地下に設けたが、本願発明の浄化機能付き貯水槽Ａにあっては、これに限らず、図１０に示すように、地上に設けることができる。
【００２１】
また、上述した実施例においては、貯水槽１は、不透水牲のコンクリートで形成された凹状の貯留部１ｂと、貝殻供給開口部２１を除いて凹状の貯留部１ｂの開口部を覆う覆い部材４（覆い部材４は、例えば、不透水牲のコンクリートで形成される。）とで概略的に構成したが、本願発明にあっては、これに限定されることなく、例えば、凹状の貯留部１ｂ及び覆い部材４を、ゴムシートで形成しても良い。
【図面の簡単な説明】
【００２２】
【図１】図１は、本発明の一実施例の浄化機能付き貯水槽の概略的断面図である。
【図２】図２は、図１の浄化機能付き貯水槽から覆い部材を取り除いて示す概略的平面図である。
【図３】図３は、図１の浄化機能付き貯水槽の一部を拡大して示す概略的一部拡大断面図である。
【図４】図４は、図３の貝殻収納部の概略的説明図である。
【図５】図５は、図４の貝殻収納部に収納する貝殻と異なる他の実施例の貝殻を示す概略的説明図である。
【図６】図６は、図５の貝殻と異なる他の実施例の貝殻を示す概略的説明図である。
【図７】図７は、図２の貝殻収納部と異なる他の実施例の貝殻収納部を有する浄化機能付き貯水槽から覆い部材を取り除いて示す概略的平面図である。
【図８】図８は、図７の実施例と異なる他の実施例の貝殻収納部を有する浄化機能付き貯水槽から覆い部材を取り除いて示す概略的平面図である。
【図９】図９は、図８の実施例と異なる他の実施例の貝殻収納部を有する浄化機能付き貯水槽から覆い部材を取り除いて示す概略的平面図である。
【図１０】図１０は、浄化機能付き貯水槽を地上に設置した状態の概略的断面図である。
【図１１】図１１は、図１の浄化機能付き貯水槽と異なる他の実施例の貯水槽の概略的断面図である。
【符号の説明】
【００２３】
Ａ  ・・・・・浄化機能付き貯水槽
１  ・・・・・貯水槽
１ａ・・・・・供給口
１ｂ・・・・・貯留部
１ｃ・・・・・排出口
２  ・・・・・貝殻収納部
３  ・・・・・開閉蓋
２１・・・・・貝殻供給開口部
【要約】
【課題】
本発明は、浄化機能を有する貝殻を簡易に補充することができる浄化機能付き貯水槽を提供することを目的としている。
【解決手段】
浄化機能付き貯水槽Ａは、外部より供給される水を貯留する凹状の貯留部１ｂを有する貯水槽１と、この貯水槽１内に貯留された前記水を外部へ排水する排水手段と、貯水槽１内に立設し、貝殻を収納する通水性を有する貝殻収納部２と、貝殻収納部２の頂部は、貝殻Ｓを入れるために開口した貝殻供給開口部２１を有し、この貝殻供給開口部２１を除いて凹状の貯留部１ｂの開口部を覆う覆い部材４と、貝殻供給開口部２１を開閉する開閉蓋３とを備えている。
【選択図】図１
【図１】
0003711396.tif 000002
【図２】
0003711396.tif 000003
【図３】
0003711396.tif 000004
【図４】
0003711396.tif 000005
【図５】
0003711396.tif 000006
【図６】
0003711396.tif 000007
【図７】
0003711396.tif 000008
【図８】
0003711396.tif 000009
【図９】
0003711396.tif 000010
【図１０】
0003711396.tif 000011
【図１１】
0003711396.tif 000012